(57)【特許請求の範囲】
【請求項１】
金属板からなる端子素材の一部に設けられた帯状部を幅方向に折り曲げることにより、相手の雌端子金具と嵌合接続されるタブ部が形成された雄端子金具であって、
前記タブ部は、基板と、この基板の一方の側縁から前記幅方向と直交する高さ方向に延びて直角に立ち上がり形成された一方の側板と、この一方の側板の立ち上がり端から前記幅方向に延びて前記基板に対して所定間隔を開けた平行姿勢をなして折り重なるように曲げ形成された対向板と、前記基板の他方の側縁から前記高さ方向に延びて直角に立ち上がり形成されてその立ち上がり端が前記高さ方向に向けられた他方の側板と、からなる扁平な角筒形に形成されており、
前記タブ部の基端側では、前記対向板の自由側の側縁が前記基板における前記他方の側縁の手前側に留まり、かつこの基板の前記他方の側縁に立ち上がり形成された前記他方の側板の立ち上がり端が、前記対向板の前記自由側の側縁の前方にまで達している断面形状である一方、
前記タブ部の先端側では、前記対向板の自由側の側縁が前記基板における前記他方の側縁の位置まで突出し、かつこの基板の前記他方の側縁に立ち上がり形成された前記他方の側板の立ち上がり端が、前記対向板の前記自由側の側縁を受けるべく同自由側の側縁に当接した断面形状となっており、
前記タブ部の基端側における前記他方の側板の立ち上がり端縁の前端と、前記タブ部の先端側における前記対向板の自由端縁の後端とが対向して配されていることを特徴とする雄端子金具。
【請求項２】
前記タブ部の基端側における前記他方の側板の立ち上がり端の前縁と、前記タブ部の先端側における前記他方の側板の立ち上がり端の後縁との間、及び、前記タブ部の基端側における前記対向板の自由端の前縁と、前記タブ部の先端側における前記対向板の自由端の後縁との間とが、それぞれテーパ縁を介して接続されていることを特徴とする請求項１記載の雄端子金具。
【請求項３】
前記タブ部の先端側における前記対向板の前記自由側の側縁では、前記他方の側板の立ち上がり端が当接する面が叩かれて薄肉化されていることを特徴とする請求項１または請求項２記載の雄端子金具。
【請求項４】
前記タブ部の基端側における相手の雌端子金具との嵌合領域から外れた領域では、前記基板の前記他方の側縁に立ち上がり形成された前記他方の側板の立ち上がり端が、前記対向板を越えた位置まで突出していることを特徴とする請求項１ないし請求項３のいずれか一項に記載の雄端子金具。
【発明の詳細な説明】
【技術分野】
【０００１】
本発明は、電線の接続用に端末に固着される雄端子金具に関する。
【背景技術】
【０００２】
雄端子金具は、導電性に優れた金属板をプレス加工して形成され、本体部の後方に電線の端末に固着されるバレルが設けられる一方、本体部の前面に、相手の雌端子金具と嵌合接続されるタブ部が突出形成された形状である。より具体的には、相手の雌端子金具には、内部に弾性接触片を備えた接続筒部が設けられ、雄端子金具のタブ部が雌端子金具の接続筒部に挿入されると、タブ部が弾性接触片と対向した壁面との間で弾性的に挟持されて、電気的な接続が取られるようになっている。ここで雄端子金具のタブ部としては、接触圧を確実に取るために所定の厚さが必要とされるが、その一方で、プレス加工の容易性等を考慮して、素材となる金属板は比較的薄いものがよいという事情がある。
【０００３】
そこで従来、下記特許文献１には、比較的薄肉の金属板からなる端子素材の一部に帯状部を設け、同帯状部を幅方向に折り曲げることにより扁平な角筒形をなすタブ部を形成した例が記載されている。  
第１の例としては、帯状部の一方の側縁側をＵ字状に折り返し、同折り返し端を直角曲げして帯状部の他方の側縁に当てることにより扁平な角筒形としたものであり、潰れ変形に抗した強度は備えている。  
第２の例としては、帯状部の両側縁を上面の中央で突き合うようにして扁平な角筒形に形成し、突き合った両側縁に補強壁を直角曲げして両補強壁を下面に当てることにより、潰れ変形に抗した強度を備えるようにしている。
【先行技術文献】
【特許文献】
【０００４】
【特許文献１】特許第３４８０７０８号公報
【発明の概要】
【発明が解決しようとする課題】
【０００５】
ところで、この種の雄端子金具のタブ部は細長い形状であることから、タブ部の先端に異物が当たった場合等に、特に同タブ部の基端に対して厚さ方向の曲げ応力が生じるが、上記第１の例のタブ部では、角筒を構成する一方の側板の高さが低くなった断面形状であるため、曲げ強度が不足する嫌いがある。  
一方、第２の例のタブ部では、曲げ強度は確保されるが、相手の雌端子金具における弾性係止片または対向壁と接触するタブ部の上面が、平坦面ではなくて幅方向の途中で分断された面であるため、段差ができるおそれがある等により、相手部材との接触態様を考慮した際には、必ずしも好適とは言えなかった。  
本発明は上記のような事情に基づいて完成されたものであって、その目的は、タブ部と相手の雌端子金具との接触圧を確保した上で、タブ部の基端側を増強してその折れ曲がり変形を防止できる雄端子金具を提供するところにある。
【課題を解決するための手段】
【０００６】
本発明は、金属板からなる端子素材の一部に設けられた帯状部を幅方向に折り曲げることにより、相手の雌端子金具と嵌合接続されるタブ部が形成された雄端子金具であって、前記タブ部は、基板と、この基板の一方の側縁から前記幅方向と直交する高さ方向に延びて直角に立ち上がり形成された一方の側板と、この一方の側板の立ち上がり端から前記幅方向に延びて前記基板に対して所定間隔を開けた平行姿勢をなして折り重なるように曲げ形成された対向板と、前記基板の他方の側縁から前記高さ方向に延びて直角に立ち上がり形成されてその立ち上がり端が前記高さ方向に向けられた他方の側板と、からなる扁平な角筒形に形成されており、前記タブ部の基端側では、前記対向板の自由側の側縁が前記基板における前記他方の側縁の手前側に留まり、かつこの基板の前記他方の側縁に立ち上がり形成された前記他方の側板の立ち上がり端が、前記対向板の前記自由側の側縁の前方にまで達している断面形状である一方、前記タブ部の先端側では、前記対向板の自由側の側縁が前記基板における前記他方の側縁の位置まで突出し、かつこの基板の前記他方の側縁に立ち上がり形成された前記他方の側板の立ち上がり端が、前記対向板の前記自由側の側縁を受けるべく同自由側の側縁に当接した断面形状となっており、前記タブ部の基端側における前記他方の側板の立ち上がり端縁の前端と、前記タブ部の先端側における前記対向板の自由端縁の後端とが対向して配されているところに特徴を有する。
【０００７】
タブ部の基端側では、角筒における帯状部の両側縁が突き合わせされて形成される側面側の側板の高さを稼ぐことができることによって、断面係数が大きくなり、曲げに対する強度が高められる。一方、相手の雌端子金具と嵌合接続されるタブ部の先端側では、対向板が一枚の平坦面でかつ同対向板の自由側の側縁が他方の側板で受けられることにより、角筒の潰れ変形も防止される。  
相手の雌端子金具との接触圧を確保した上で、タブ部の基端側を増強してその折れ曲がり変形を防止することができる。
【０００８】
また、以下のような構成としてもよい。  
（１）前記タブ部の基端側における前記他方の側板の立ち上がり端の前縁と、前記タブ部の先端側における前記他方の側板の立ち上がり端の後縁との間、及び、前記タブ部の基端側における前記対向板の自由端の前縁と、前記タブ部の先端側における前記対向板の自由端の後縁との間とが、それぞれテーパ縁を介して接続されている。タブ部における基端側の前縁と、先端側の後縁とが段差無く滑らかに繋がった形態となり、同繋ぎ部分での応力集中が回避されて損傷防止に有効となる。
【０００９】
（２）前記タブ部の先端側における前記対向板の前記自由側の側縁では、前記他方の側板の立ち上がり端が当接する面が叩かれて薄肉化されている。対向板を受けた構造としながらも、他方の側板の高さをより大きく取ることができ、曲げ強度を高めることに有効となる。
【００１０】
（３）前記タブ部の基端側における相手の雌端子金具との嵌合領域から外れた領域では、前記基板の前記他方の側縁に立ち上がり形成された前記他方の側板の立ち上がり端が、前記対向板を越えた位置まで突出している。相手の雌端子金具との嵌合を妨げることなく、タブ部の基端側のさらなる増強を図ることができる。
【発明の効果】
【００１１】
本発明の雄端子金具によれば、タブ部と相手の雌端子金具との接触圧を確保した上で、タブ部の基端側を増強してその折れ曲がり変形を防止することができる。
【図面の簡単な説明】
【００１２】
【図１】本発明の実施形態１に係る雄端子金具の斜視図
【図２】雄端子金具の展開形状を示す平面図
【図３】その組立後の平面図
【図４】図１のＡ−Ａ線で切断した斜視断面図
【図５】その正面視の断面図
【図６】図１のＢ−Ｂ線で切断した斜視断面図
【図７】その正面視の断面図
【図８】本発明の実施形態２に係るタブ部の基端で切断した正面視の断面図
【発明を実施するための形態】
【００１３】
＜実施形態１＞
本発明の実施形態１を図１ないし図７によって説明する。  
この実施形態の雄端子金具Ｍは、導電性に優れた金属板をプレス加工することによって形成されており、図１に示すように、本体部１０の後方に、ワイヤバレル１１とインシュレーションバレル１２とが連設されているとともに、本体部１０の前面に、先細りとなった接続部１４を介してタブ部２０が突出形成された構造となっている。  
より具体的には、金属板のフープ材がプレス工程を搬送される間に、図２に示す展開形状の端子素材１５が切断形成され、同端子素材１５に対して複数回に亘る曲げ成形が施されることによって、図１及び図３に示す雄端子金具Ｍが組み立て形成される。
【００１４】
本体部１０は、コネクタハウジング（図示せず）のキャビティ内にほぼ緊密に嵌る後面開放の箱形に形成されており、同本体部１０の曲げ形成に伴い、前面の接続部１４が形成される。  
ワイヤバレル１１は、電線（図示せず）における芯線の端末にかしめ圧着されるものであって、底板の両側縁から一対のバレル片１１Ａが対向して立ち上がり形成されている。ワイヤバレル１１の内面には、複数条のセレーション１３が形成されている。  
インシュレーションバレル１２は、同電線における絶縁被覆の端末にかしめ圧着されるものであって、底板の両側縁から一対のバレル片１２Ａ，１２Ｂが、前後に位置をずらして立ち上がり形成されている。
【００１５】
続いて、タブ部２０の構造を詳細に説明する。  
図２に示す展開形状の端子素材１５において、本体部１０の前面の接続部１４を構成する部分の先に、タブ部２０を構成する帯状部１６が形成されている。この帯状部１６は大まかには、幅方向における正面視の右端から順次に、右側板２１、下面板２２、左側板２３及び上面板２４が並んで形成されている。そして、帯状部１６における下面板２２の左側縁から左側板２３が直角に立ち上がり形成され、この左側板２３の上縁から上面板２４が正面視で右方に向けて直角曲げされて、下面板２２と所定間隔を開けて平行姿勢で対向するように形成されるとともに、下面板２２の右側縁から右側板２１が直角に立ち上がり形成されることによって、扁平な角筒形に形成されている。  
なお、下面板２２と上面板２４との先端には、台形状のガイド板２５がそれぞれ連設されており、上記の曲げ形成に伴い、両ガイド板２５が対向しかつその先端縁同士が接触するように曲げ形成されることにより、先細りとなったガイド部２６が形成されている。
【００１６】
タブ部２０は、図示しない相手の雌端子金具と嵌合された場合に、同雌端子金具に設けられた接続筒部内に挿入され、タブ部２０のうち先端側が、同接続筒部内に設けられた弾性接触片と、対向した天井壁との間で弾性的に挟持されることにより、電気的な接続が取られるようになっている。  
なお、図７に示すように、雌端子金具の接続筒部の天井壁３０には、前後方向に延びた左右２条の接点部３１が突出形成されている。
【００１７】
さて、タブ部２０、詳細には先端のガイド部２６を除いた扁平な角筒形をなす部分は、その全長のうち後側の略１／３の領域が基端部２０Ａと、残りの略２／３の領域が先端部２０Ｂとなっていて、それぞれ断面形状を異にして形成されている。  
右側板２１については、基端部２０Ａの右側板２１Ａは、左側板２３と同じ高さとなる寸法に形成されている一方、先端部２０Ｂの右側板２１Ｂは、基端部２０Ａの右側板２１Ａよりも所定寸法（板厚の８０％程度）低くなる寸法に形成されている。基端部２０Ａにおける右側板２１Ａの自由端縁（立ち上がり端縁）の前端と、先端部２０Ｂにおける右側板２１Ａの自由端縁（立ち上がり端縁）の後端とは、先下がりとなったテーパ縁２７で接続されている。
【００１８】
上面板２４について、基端部２０Ａの上面板２４Ａは、下面板２２の幅よりも小さい幅に形成されている一方、先端部２０Ｂの上面板２４Ｂは、下面板２２の幅と同じ幅に形成されている。ただし、先端部２０Ｂの上面板２４Ｂでは、自由端縁の裏面２８（下面板２２と対向する面）の所定幅領域が、叩かれて薄肉（板厚の８０％程度）とされている。  
基端部２０Ａにおける上面板２４Ａの自由端縁の前端と、先端部２０Ｂにおける上面板２４Ｂの自由端縁の後端とは、同じようにテーパ縁２９で接続されている。
【００１９】
本実施形態の作用を説明する。  
上記のような展開形状を持った端子素材１５が曲げ加工されてタブ部２０が形成されると、タブ部２０全体としては、下面板２２と、この下面板２２の左側縁から直角に立ち上がり形成された左側板２３と、左側板２３の立ち上がり端から下面板２２に対して所定間隔を開けた平行姿勢をなして折り重なるように曲げ形成された上面板２４と、下面板２２の右側縁から直角に立ち上がり形成された右側板２１と、からなる扁平な角筒形に形成される。
【００２０】
ここで、タブ部２０の基端部２０Ａでは、図４及び図５に示すように、上面板２４Ａの自由端縁（右側縁）が、下面板２２の右側縁よりも手前の左方位置に留まり、かつこの下面板２２の右側縁に立ち上がり形成された右側板２１Ａの立ち上がり端が、上面板２４Ａの右側縁における端面の前方を通って、同右側縁の上面位置にまで達した断面形状となっている。  
一方、タブ部２０の先端部２０Ｂでは、図６及び図７に示すように、上面板２４Ｂの自由端縁（右側縁）が、下面板２２の右側縁の位置まで突出し、かつこの下面板２２の右側縁に立ち上がり形成された右側板２１Ｂの立ち上がり端が、上面板２４Ｂの右側縁における薄肉化された裏面２８に当てられている。
【００２１】
上記のような形状に組み付けられた雄端子金具Ｍのタブ部２０によると、その基端部２０Ａでは、角筒における帯状部１６の両側縁が突き合わせされて形成される右側面側において、右側板２１Ａの高さを稼ぐことができることによって、断面係数を大きくでき、結果、曲げに対する強度が高められる。
【００２２】
一方、タブ部２０の先端部２０Ｂは、既述したように相手の雌端子金具の接続筒部に挿入され、同接続筒部内に設けられた弾性接触片と対向した天井壁３０との間で弾性的に挟持され、特に図７に示すように、天井壁３０に突出形成された２条の接点部３１が、タブ部２０の先端部２０Ｂにおける上面板２４Ｂの幅方向の両端部を押圧する形態を採る。  
ここでタブ部２０の先端部２０Ｂでは、接点部３１が設けられた天井壁３０と対向した上面板２４Ｂが一枚の平坦面で、かつ上面板２４Ｂの自由端縁（右側縁）が右側板２１Ｂで受けられることにより、角筒の潰れ変形も防止される。  
その結果、相手の雌端子金具との接触圧を確保した上で、タブ部２０の基端部２０Ａを増強してその折れ曲がり変形を防止することが可能となる。
【００２３】
また、この実施形態では、基端部２０Ａにおける右側板２１Ａの自由端縁の前端と、先端部２０Ｂにおける右側板２１Ｂの自由端縁の後端との間、また、基端部２０Ａにおける上面板２４Ａの自由端縁の前端と、先端部２０Ｂにおける上面板２４Ｂの自由端縁の後端との間が、ともにテーパ縁２７，２９で接続されており、端的には、タブ部２０における基端部２０Ａの前縁と、先端部２０Ｂの後縁とが段差無く滑らかに繋がった形態に形成されているから、繋ぎ部分での応力集中が回避されて損傷防止に有効となる。
【００２４】
さらに、タブ部２０の先端部２０Ｂにおける上面板２４Ｂの自由端縁（右側縁）では、右側板２１の立ち上がり端が当接する裏面２８が叩かれて薄肉化されている。これにより、上面板２４Ｂを受けた構造としながらも、右側板２１Ｂの高さを極力大きく取ることができ、先端部２０Ｂにおける曲げ強度を高めることに有効となる。
【００２５】
＜実施形態２＞
図８は、本発明の実施形態２を示す。  
雄端子金具Ｍ１のタブ部２０が、相手の雌端子金具の接続筒部内に挿入されて電気的な接続が図られるに際して、タブ部２０が実際に接続筒部内に挿入されるのは、タブ部２０の先端部２０Ｂから、基端部２０Ａのうち前端側の所定長さ領域に亘ってのみである。  
そこで実施形態２では、タブ部２０の基端部における相手の雌端子金具の接続筒部との嵌合領域から外れた後端側の領域では、図８に示すように、下面板２２の右側縁に立ち上がり形成された右側板４０の立ち上がり端が、上面板２４Ａを越えてさらに上方まで突出したさらに背の高い形状に形成されている。  
この実施形態２の構造によれば、相手の雌端子金具との嵌合接続を妨げることなく、タブ部２０の基端部２０Ａのさらなる増強を図ることができる。
【００２６】
＜他の実施形態＞
本発明は上記記述及び図面によって説明した実施形態に限定されるものではなく、例えば次のような実施形態も本発明の技術的範囲に含まれる。  
（１）上記実施形態では、端子素材の帯状部を角筒形に曲げ形成してタブ部を形成する場合における角筒の断面の繋ぎ部分が、正面視で右上角である場合を例示したが、同繋ぎの部分が、正面視で左上角であったり、左下又は右下の角であってもよい。  
（２）タブ部における先端部は、相手の雌端子金具と実際に嵌合接続されるように機能する部分であって、断面形状を互いに異にする先端部と基端部との長さの比率は、上記実施形態に例示したものに限らず、端子金具全体の形状等の条件に応じて任意に設定することができる。
【００２７】
（３）上記実施形態では、タブ部の先端側における上面板の自由端縁の裏面を薄肉化したのであるが、薄肉化することは割愛しても良く、そのようなものも本発明の技術的範囲に含まれる。  
（４）上記実施形態では、相手の雌端子金具の接続筒部内に接点部が２条設けられている場合を例示したが、同接点部は、例えば幅広のものが１条である等、他の構造としてもよい。
【符号の説明】
【００２８】
Ｍ，Ｍ１…雄端子金具
１５…端子素材
１６…帯状部
２０…タブ部
２０Ａ…基端部
２０Ｂ…先端部
２１，２１Ａ，２１Ｂ…右側板（他方の側板）
２２…下面板（基板）
２３…左側板（一方の側板）
２４，２４Ａ，２４Ｂ…上面板（対向板）
２７…テーパ縁
２８…（上面板２４Ｂの自由端縁の）裏面
２９…テーパ縁
４０…右側板（他方の側板）
【図１】
0005678850.tif 000002
【図２】
0005678850.tif 000003
【図３】
0005678850.tif 000004
【図４】
0005678850.tif 000005
【図５】
0005678850.tif 000006
【図６】
0005678850.tif 000007
【図７】
0005678850.tif 000008
【図８】
0005678850.tif 000009